(57)【要約】      （修正有）【課題】デッキ材の中空部に浸入した雨水の排水性、中空部の通気性を高めて、デッキ材の品質を維持できるデッキ材用小口キャップを提供する。【解決手段】小口キャップに、デッキ材の端面に当接される蓋部と、その蓋部の裏面に突設され、デッキ材の中空部に押入される嵌合部とを一体に備え、蓋部には、前記嵌合部がデッキ材の中空部に嵌合された状態でデッキ材の中空部の底面と同一面に底辺を有する水抜き孔を形成した。【選択図】図１
2009091717.tif 000002
【特許請求の範囲】
【請求項１】
デッキ材の端面に当接される蓋部と、その蓋部の裏面に突設され、デッキ材の中空部に押入される嵌合部とを一体に有し、前記蓋部には、前記嵌合部がデッキ材の中空部に嵌合された状態で前記中空部の底面と同一面に底辺を有する水抜き孔が形成されていることを特徴とするデッキ材用小口キャップ。
【請求項２】
小口キャップの水抜き孔は、デッキ材の複数の中空部を仕切る仕切り壁と対応しない位置に形成されていることを特徴とする請求項１に記載のデッキ材用小口キャップ。
【請求項３】
嵌合部は複数個設けられ、各嵌合部は仕切り壁と対応する位置において離間されていることを特徴とする請求項１又は２に記載のデッキ材用小口キャップ。
【発明の詳細な説明】
【技術分野】
【０００１】
本発明は、長手方向に連通する中空部を有するデッキ材に取り付けられる小口キャップに関する。
【背景技術】
【０００２】
長手方向に連通する中空部を有するデッキ材や濡れ縁（本明細書においては、両者を含めてデッキ材という。）の小口には、従来、中空部への雨水や埃の浸入及びデッキ材の端部装飾のため、小口キャップが取り付けられている。
【０００３】
従来使用されているデッキ材の小口キャップは、樹脂製の平坦な薄板状の蓋部の裏面に嵌合部を形成してなり、その嵌合部をデッキ材の中空部に押入し、蓋部をデッキ材の端面に当接させて装着されるものである。
【特許文献１】特になし
【発明の開示】
【発明が解決しようとする課題】
【０００４】
しかしながら、従来の小口キャップは、蓋部がデッキ材の端面に当接して中空部を密閉するので、外気温度の変化に伴い、中空部内の気圧が外気圧よりも低くなるときに雨水が中空部内に吸い込まれたり、毛管作用により雨水が中空部内に浸透することがある。一旦吸い込まれた雨水は、小口キャップの蓋部が中空部を密閉しているため、容易に排水されずに水溜まりが生じることもあり、そこに埃が入って水苔が発生する要因となっていた。また、中空部内に湿気がこもった状態が継続すると、デッキ材の品質低下に繋がる虞がある。近年、好んで用いられる木調デッキ材は、樹脂と木粉の混合材料から成形されているので、そのデッキ材の中空部内に湿気が長期間こもることは好ましくない。
【０００５】
本発明は、上記の点に鑑みてなされたものであり、その課題は、デッキ材の中空部に浸入した雨水の排水性、中空部の通気性を高めて、デッキ材の品質を維持できるデッキ材用小口キャップを提供することにある。
【課題を解決するための手段】
【０００６】
上記課題を解決するため、本発明に係るデッキ材用小口キャップは、デッキ材の端面に当接される蓋部と、その蓋部の裏面に突設され、デッキ材の中空部に押入される嵌合部とを一体に有し、前記蓋部には、前記嵌合部がデッキ材の中空部に嵌合された状態で前記中空部の底面と同一面に底辺を有する水抜き孔が形成されていることを特徴としている。
【０００７】
小口キャップの水抜き孔は、デッキ材の複数の中空部を仕切る仕切り壁と対応しない位置に形成されていることが望ましい。
【０００８】
嵌合部は複数個設けられ、各嵌合部は、仕切り壁と対応する位置において離間されていることが望ましい。
【発明の効果】
【０００９】
請求項１の発明によれば、蓋部に嵌合部がデッキ材等の中空部に嵌合された状態でその中空部の底面と同一面に底辺を有する水抜き孔が形成されているので、中空部に浸入した雨水の排水性が向上し、通気性も確保されるため、湿気が長期間こもることがない。従って、デッキ材の品質が維持される。
【００１０】
請求項２の発明によれば、水抜き孔が仕切り壁により閉塞されないので、排水性が低下することが無く、また、仕切り壁が外部に露見されないので、水抜き孔を設けてもデッキや濡れ縁の外観体裁が低下することがない。
【００１１】
請求項３の発明によれば、各嵌合部は仕切り壁と対応する位置において小口キャップの長手方向に離間されているので、仕切り壁を有するデッキ材に対する装着が容易にでき、かつ、大きい抜脱抵抗力が得られる。
【発明を実施するための最良の形態】
【００１２】
続いて、本発明の実施の形態について図面に基づいて説明する。
図１は本発明の一実施例に係るデッキ材用小口キャップの裏面側から見た斜視図、図２は同小口キャップのデッキ材に対する取付を説明する斜視図、図３は小口キャップをデッキ材に取り付けた状態における位置関係を説明する裏面図である。
【００１３】
図１に示すように、本実施例に係るデッキ材用小口キャップＡは、合成樹脂成型品であり、横長方形の薄板状の蓋部１の裏面に、その裏面に直角な方向に突出する嵌合部２（２は形状が異なる複数個の嵌合部２ａ，２ｂ，２ｃの総括符号）を設けてなっている。そして、蓋部１には、その下辺から所定距離だけ上方に離れた位置に水抜き孔３（３は形状の異なる複数個の水抜き孔３ａ，３ｂの総括符号）が設けられている。所定距離とは、後述されるデッキ材Ｂの底板の厚みに等しい距離である。
【００１４】
蓋部１の幅方向（図面においては左右方向）両端部には、嵌合部２と同じ方向に延びる取付部４が設けられている。この取付部４は、小口キャップＡが取り付けられるデッキ材Ｂの形状により要望に応じて設けられる。取付部４は、デッキ材の側壁の取付面の傾斜に応じて傾斜させてあり、先端に取付ビスを貫通するための孔４ｈが形成されている。
【００１５】
デッキ材Ｂが一つの中空部のみを有するものである場合は、それに用いられる小口キャップは、図１の中央嵌合部２ａのみを有し、水抜き孔もその嵌合部２ａの下側に存在する一つの水抜き孔３ａのみを有するものとなる。
【００１６】
図１に示す小口キャップＡは、図２に示され、図３に鎖線で示されているようなデッキ材、すなわち、上板１１と底板１２と両側板１３と仕切り壁１４とを有し、仕切り壁により仕切られた複数個の中空部１５，１５’を有して、左右対称形のデッキ材Ｂに取り付けられる場合の形態を有している。
そのため、小口キャップＡの嵌合部２は、倒立Ｕ字形の中央嵌合部２ａ、その両側に蓋部１の上辺に対応する水平板２ｂ１と、中央嵌合部２ａの一方の垂下辺の付近に設けられた垂直板２ｂ２とからなる分割嵌合部２ｂ、及びその分割嵌合部の中央嵌合部と反対側に設けられたほぼＰ字形の側部嵌合部２ｃとの３種類が、相互に小口キャップＡの長手方向に一定の距離を隔てて形成されている。
【００１７】
そして、全ての嵌合部２の上側と、各嵌合部２ａ，２ｂ，２ｃの間と、側部嵌合部２ｃと取付部４の間、及び全ての水抜き孔３の下側において、蓋部１の裏面にデッキ材Ｂの端面が当接される当接面ｆ１〜ｆ４が形成されている。すなわち、全ての嵌合部の上側の当接面ｆ１は、デッキ材Ｂの上板１１の端面が当接し、全ての水抜き孔３の下側の当接面ｆ４は、デッキ材の下板１２の端面が当接し、側部嵌合部２ｃと取付部４の間の当接面ｆ３は、デッキ材の幅方向両端部の側壁１３の端面が当接し、各嵌合部の間の当接面ｆ２は、デッキ材の各仕切り壁１４の端面が当接するためのものである。
【００１８】
水抜き孔３は、その底辺が下側の当接面ｆ４の上辺と合致するように、すなわち、小口キャップＡがデッキ材に取り付けられた時に、水抜き孔３の底辺がデッキ材の中空部１５，１５’の底面と同じ面に存在するように設けられている。
【００１９】
水抜き孔３は小口キャップＡの長手方向に連続する長い孔でも良いが、好ましい図示の実施例では、デッキ材Ｂが同一形状の中空部１５を３個有し、その両側に下側部分がやや狭い中空部１５’を有するので、中央の３個の水抜き孔３ａは各中空部１５に対応する位置に長円状に形成され、両側の水抜き孔３ｂは中空部１５’に対応するほぼ角孔状に形成されている。
【００２０】
各嵌合部２には、これをデッキ材Ｂの中空部に嵌合したときに、その中空部の内面を弾力的に押圧する突条ｐが形成されている。中央嵌合部の垂直辺とこれに対向する中間嵌合部の垂直板にも、同様の突条ｐが突設されている。これにより、嵌合部２をデッキ材の中空部に押入した後、突条ｐが中空部内面を押圧して小口キャップＡを大きい抜脱抵抗力を持って保持することができるように構成されている。
【００２１】
上記構成の小口キャップＡは、図２に示すように、その嵌合部２のそれぞれをデッキ材Ｂの小口の各中空部１５，１５’に押入し、蓋部１の裏面がデッキ材の端面に当接され、かつ、取付部４がデッキ材の側壁１３の外面に当接された状態で固定し、その取付部４の孔４ｈからビス２１をデッキ材Ｂの側壁１３にねじ込むことにより取り付けられる。この時、各嵌合部は各突条ｐによりデッキ材の中空部内面に緊密に嵌合しているから、小口キャップＡは堅固に保持され、震動などにより脱落することがない。
【００２２】
取り付けられた小口キャップＡの蓋部１はデッキ材Ｂの端面を被覆するので、デッキ材の端部切断面に対する安全性が確保されるとともに、中空部１５，１５’が隠蔽されるのでデッキ材Ｂの外観が向上し、また、中空部１５，１５’に雨水や埃が浸入しても、水抜き孔３の底辺がデッキ材の中空部の底面と等しい面にあるので、浸入した雨水や埃は容易に外に排出され、また、水抜き孔３により中空部内の通気性が確保されるので、デッキ材の品質低下の原因となる水溜まりが生じたり、湿気がこもったりすることがないので、水苔等の発生が防止される。従って、デッキ材の品質が維持される。
【図面の簡単な説明】
【００２３】
【図１】本発明の一実施例に係るデッキ材用小口キャップの裏面側から見た斜視図。
【図２】同じく小口キャップのデッキ材に対する取付を説明する斜視図。
【図３】小口キャップをデッキ材に取り付けた状態における位置関係を説明する図。
【符号の説明】
【００２４】
Ａ      小口キャップ
１      蓋部
２（２ａ，２ｂ，２ｃ）  嵌合部
３（３ａ，３ｂ）        水抜き孔
ｆ１〜ｆ４              当接面
Ｂ      デッキ材
１１    上板
１２    底板
１３    側板
１４    仕切り壁
１５，１５’  中空部
【図１】
2009091717.tif 000003
【図２】
2009091717.tif 000004
【図３】
2009091717.tif 000005